【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
カメラ（１）の空間（Ｓ）内に設置されるように構成されるオーディオユニット配置構成（１０）であって、前記空間（Ｓ）はカメラユニット（２）と前記カメラ（１）の取り外し可能カバー（３）との間に形成され、前記オーディオユニット配置構成（１０）は、
前記カメラユニット（２）に電子的に接続されるように構成されるオーディオユニット（１１）と、
前記カメラユニット（２）に機械的に接続されるように構成され、前記オーディオユニット（１１）を収納するように構成されるオーディオユニットコンテナ（２１）を有するオーディオユニットホルダ（２０）と
を備え、
前記オーディオユニットコンテナ（２１）は、ばね要素（２５）を備えるか、前記ばね要素（２５）を収納するように構成され、前記ばね要素（２５）は、前記オーディオユニット（１１）が、前記ばね要素（２５）の弾性に対抗して第１の方向（Ｌ１）に前記オーディオユニットコンテナ（２１）内に押し込まれることを可能にし、それにより、前記オーディオユニット（１１）を、前記第１の方向（Ｌ１）の反対の第２の方向（Ｌ２）へと前記オーディオユニットコンテナ（２１）に対して外方に弾性的に付勢し、その結果、前記オーディオユニット配置構成（１０）が前記カメラ（１）内に設置され、前記カメラ（１）が、前記取り外し可能カバー（３）を含んで、組み立てられた状態にあるときに、前記オーディオユニット（１１）は、前記カメラ（１）の前記取り外し可能カバー（３）の内部（３ａ）に対して当接状態になるように押し込まれる、オーディオユニット配置構成（１０）。
【請求項２】
前記オーディオユニット（１１）の外側表面（１１ａ）が、締まりばめによって前記オーディオユニットコンテナ（２１）に嵌合し、前記締まりばめは、前記オーディオユニットの前記外側表面（１１ａ）と前記オーディオユニットコンテナ（２１）の内向き表面（２１ａ）との間に、前記第２の方向（Ｌ２）に沿う前記オーディオユニットコンテナ（２１）に対する前記オーディオユニット（１１）の移動に対抗する摩擦力を提供し、前記締まりばめは、前記第２の方向（Ｌ２）に沿って見られるように最大摩擦力を提供するように構成され、前記最大摩擦力は、オーディオユニット配置構成（１０）が前記カメラ（１）内に設置されたときに、前記ばね要素（２５）が前記第２の方向（Ｌ２）に沿って前記オーディオユニット（１１）を付勢し、前記ばね要素（２５）が前記カメラ（１）の前記カバー（３）の前記内部（３ａ）に対して当接状態になるように前記オーディオユニット（１１）を付勢する力より小さい、請求項１に記載のオーディオユニット配置構成（１０）。
【請求項３】
前記オーディオユニット（１１）は重量を有し、前記最大摩擦力は前記オーディオユニット（１１）の前記重量より大きい、請求項２に記載のオーディオユニット配置構成（１０）。
【請求項４】
前記オーディオユニットコンテナ（２１）の前記内向き表面（２１ａ）がリッジ（２１ｂ〜２１ｅ）を備え、前記リッジ（２１ｂ〜２１ｅ）は、前記第１の方向（Ｌ１）にわたる断面で見られると内方に延在し、また好ましくは、前記第１の方向（Ｌ１）に沿って主コンポーネントと共に延在する、請求項２または３に記載のオーディオユニット配置構成（１０）。
【請求項５】
前記ばね要素（２５）がエラストマから形成される、請求項１から４のいずれか一項に記載のオーディオユニット配置構成（１０）。
【請求項６】
前記オーディオユニットコンテナ（２１）の壁（２２）が、凹部（２３）を備え、前記凹部（２３）は、前記オーディオユニット（１１）に接続された電気ワイヤ（１２）が前記オーディオユニットコンテナ（２１）を出ることを可能にする、請求項１から５のいずれか一項に記載のオーディオユニット配置構成（１０）。
【請求項７】
前記オーディオユニットコンテナ（２１）は、少なくとも１つの貫通スリット（２４）を備え、前記少なくとも１つの貫通スリット（２４）は、前記第１の方向（Ｌ１）に沿って延在し、前記オーディオユニットコンテナ（２１）の内部に位置決めされた前記オーディオユニット（１１）の外側表面（１１ａ）に対するアクセスを提供する、請求項１から６のいずれか一項に記載のオーディオユニット配置構成（１０）。
【請求項８】
前記オーディオユニット（１１）は可撓性キャップ（１３）を備え、前記可撓性キャップ（１３）は、好ましくはエラストマから形成される、請求項１から７のいずれか一項に記載のオーディオユニット配置構成（１０）。
【請求項９】
前記可撓性キャップ（１３）は、上部表面（１３ａ）を有し、前記オーディオユニット（１１）上に配置され、それにより、前記オーディオユニット（１１）が前記カメラ（１）の前記カバー（３）の前記内部（３ａ）に対して当接状態になるように付勢されるときに、前記可撓性キャップ（１３）の前記上部表面（１３ａ）は、前記カバー（３）の前記内部（３ａ）に当接する前記オーディオユニット（１１）の当接表面（１１ｂ）の少なくとも一部、好ましくは全てを形成する、請求項８に記載のオーディオユニット配置構成（１０）。
【請求項１０】
前記可撓性キャップ（１３）は、前記第１の方向（Ｌ１）に沿って延在し、前記オーディオユニット（１１）と前記オーディオユニットコンテナ（２１）との間の締まりばめの一部を形成するエンベロープ表面（１３ｂ）を有する、請求項２に従属する請求項８または９に記載のオーディオユニット配置構成（１０）。
【請求項１１】
前記オーディオユニット（１１）及び前記オーディオユニットホルダ（２０）は、前記カメラユニット（２）を覆うシール式エンクロージャ（５）の外側に配置され、前記シール式エンクロージャ（５）内のシール式貫通ケーブルチャネル（６）であって、前記エンクロージャ（５）の内側で、前記オーディオユニット（１１）から前記カメラユニット（２）内に延在する電気ワイヤ（１２）の通過を可能にする、シール式貫通ケーブルチャネル（６）が提供される、請求項１から１０のいずれか一項に記載のオーディオユニット配置構成（１０）。
【請求項１２】
前記取り外し可能カバー（３）をさらに備え、前記取り外し可能カバー（３）は開口（３ｂ）を備え、前記開口（３ｂ）は、前記開口（３ｂ）が前記オーディオユニット（１１）に一致するように、前記オーディオユニット（１１）の位置に対して位置決めされる、請求項１から１１のいずれか一項に記載のオーディオユニット配置構成（１０）。
【請求項１３】
前記取り外し可能カバー（３）は、前記開口（３ｂ）の境界を定める当接表面（３ｃ）を備え、前記オーディオユニット（１１）は、前記取り外し可能カバー（３）の前記当接表面（３ｃ）に当接するように構成される当接表面（１１ｂ）を備え、それにより、音響シールが前記開口（３ｂ）の周りに形成される、請求項１２に記載のオーディオユニット配置構成（１０）。
【請求項１４】
カメラユニット（２）と、
前記カメラユニット（２）の少なくとも一部分をカバーする取り外し可能カバー（３）と、
請求項１から１３のいずれか一項に記載のオーディオユニット配置構成（１０）と
を備え、前記オーディオユニット配置構成（１０）は、前記カメラユニット（２）と前記取り外し可能カバー（３）との間に形成された空間（Ｓ）内に設置され、前記オーディオユニット（１１）は、前記カバー（３）の内部（３ａ）に対して当接状態になるように前記ばね要素（２５）によって付勢される、カメラ（１）。
【請求項１５】
前記取り外し可能カバー（３）は開口（３ｂ）を備え、前記開口（３ｂ）は、前記開口（３ｂ）が前記オーディオユニット（１１）に一致するように、前記オーディオユニット（１１）の位置に対して位置決めされ、前記取り外し可能カバー（３）は、好ましくは、前記開口（３ｂ）の境界を定める当接表面（３ｃ）を備え、前記オーディオユニット（１１）は、好ましくは、前記取り外し可能カバー（３）の前記当接表面（３ｃ）に当接するように構成される当接表面（１１ｂ）を備え、それにより、音響シールが前記開口（３ｂ）の周りに形成される、請求項１４に記載のカメラ（１）。